Podtech/llm-jp-corpus-v4-ja_patent huggingface dataset:
【手続補正書】
【提出日】令和1年6月26日(2019.6.26)
【手続補正１】
【補正対象書類名】特許請求の範囲
【補正対象項目名】請求項１
【補正方法】変更
【補正の内容】
【請求項１】
車両（５、５Ａ、５Ｂ）で用いられる車両用通信装置（２１、１２１）と、
無線リソースの管理を行う管理装置（４、４Ａ、４Ｃ）とを備えた車両用通信システムであって、
時刻別の場所および前記無線リソースの割り当てを要求するリソース割り当て要求を前記管理装置へ送信する要求送信部を備え、
前記車両用通信装置は、前記車両の外部へ信号を無線送信する車両側送信部（２１３）と、前記車両の外部から無線送信される信号を受信する車両側受信部（２１４）と、前記車両側送信部および前記車両側受信部を制御する車両側通信制御部（２１２）とを備え、
前記管理装置は、
前記リソース割り当て要求を受信する管理装置側受信部（４４）と、
前記管理装置側受信部が受信した前記リソース割り当て要求に応じて、前記リソース割り当て要求を送信した前記車両用通信装置に、前記時刻別の場所であって同じ時刻に複数の前記車両が割り当てられないようになっている場所および前記無線リソースを割り当てる割り当て部（４２）と、
前記割り当て部の割り当て結果を、前記リソース割り当て要求を送信した前記車両用通信装置へ送信する管理装置側送信部（４３）とを備え、
前記車両側受信部は、前記割り当て結果を受信し、
前記車両側通信制御部は、前記車両側受信部が受信した前記割り当て結果に基づいて、前記車両側送信部と前記車両側受信部を制御する車両用通信システム。
【手続補正２】
【補正対象書類名】特許請求の範囲
【補正対象項目名】請求項１６
【補正方法】変更
【補正の内容】
【請求項１６】
車両で用いられ、無線通信を行う車両用通信装置（２１、１２１）であって、
前記車両の外部へ信号を無線送信する車両側送信部（２１３）と、前記車両の外部から無線送信される信号を受信する車両側受信部（２１４）と、前記車両側送信部および前記車両側受信部を制御する車両側通信制御部（２１２）とを備え、
前記車両側受信部は、管理装置から、リソース割り当て要求が要求した時刻別の場所であって同じ時刻に複数の前記車両が割り当てられないようになっている場所および無線リソースが割り当てられたか否かを示す割り当て結果を受信し、
前記車両側通信制御部は、前記車両側受信部が受信した割り当て結果に基づいて、前記車両側送信部と前記車両側受信部を制御する車両用通信装置。
【手続補正３】
【補正対象書類名】特許請求の範囲
【補正対象項目名】請求項１７
【補正方法】変更
【補正の内容】
【請求項１７】
無線リソースの管理を行う管理装置（４）であって、
時刻別の場所において前記無線リソースの割り当てを要求するリソース割り当て要求を受信する管理装置側受信部（４４）と、
前記管理装置側受信部が受信した前記リソース割り当て要求に応じて、車両で用いられ、無線通信を行う車両用通信装置に、前記時刻別の場所であって同じ時刻に複数の前記車両が割り当てられないようになっている場所および前記無線リソースを割り当てる割り当て部（４２）と、
前記割り当て部の割り当て結果を、前記車両用通信装置へ送信する管理装置側送信部（４３）とを備える管理装置。
【手続補正４】
【補正対象書類名】明細書
【補正対象項目名】００１１
【補正方法】変更
【補正の内容】
【００１１】
上記目的を達成するための車両用通信システムに係る１つの開示は、
車両（５、５Ａ、５Ｂ）で用いられる車両用通信装置（２１、１２１）と、
無線リソースの管理を行う管理装置（４、４Ａ、４Ｃ）とを備えた車両用通信システムであって、
時刻別の場所および無線リソースの割り当てを要求するリソース割り当て要求を管理装置へ送信する要求送信部を備え、
車両用通信装置は、車両の外部へ信号を無線送信する車両側送信部（２１３）と、車両の外部から無線送信される信号を受信する車両側受信部（２１４）と、車両側送信部および車両側受信部を制御する車両側通信制御部（２１２）とを備え、
管理装置は、
リソース割り当て要求を受信する管理装置側受信部（４４）と、
管理装置側受信部が受信したリソース割り当て要求に応じて、リソース割り当て要求を送信した車両用通信装置に、時刻別の場所であって同じ時刻に複数の車両が割り当てられないようになっている場所および無線リソースを割り当てる割り当て部（４２）と、
割り当て部の割り当て結果を、リソース割り当て要求を送信した車両用通信装置へ送信する管理装置側送信部（４３）とを備え、
車両側受信部は、割り当て結果を受信し、
車両側通信制御部は、車両側受信部が受信した割り当て結果に基づいて、車両側送信部と車両側受信部を制御する。
【手続補正５】
【補正対象書類名】明細書
【補正対象項目名】００１３
【補正方法】変更
【補正の内容】
【００１３】
上記目的を達成するための車両用通信装置に係る開示は、上記車両用通信システムが備える車両用通信装置である。すなわち、
車両で用いられ、無線通信を行う車両用通信装置（２１、１２１）であって、
車両の外部へ信号を無線送信する車両側送信部（２１３）と、車両の外部から無線送信される信号を受信する車両側受信部（２１４）と、車両側送信部および車両側受信部を制御する車両側通信制御部（２１２）とを備え、
車両側受信部は、管理装置から、リソース割り当て要求が要求した時刻別の場所であって同じ時刻に複数の車両が割り当てられないようになっている場所および無線リソースが割り当てられたか否かを示す割り当て結果を受信し、
車両側通信制御部は、車両側受信部が受信した割り当て結果に基づいて、車両側送信部と車両側受信部を制御する。
【手続補正６】
【補正対象書類名】明細書
【補正対象項目名】００１４
【補正方法】変更
【補正の内容】
【００１４】
上記目的を達成するための管理装置に係る開示は、上記車両用通信システムが備える管理装置である。すなわち、
無線リソースの管理を行う管理装置（４）であって、
時刻別の場所において無線リソースの割り当てを要求するリソース割り当て要求を受信する管理装置側受信部（４４）と、
管理装置側受信部が受信したリソース割り当て要求に応じて、車両で用いられ、無線通信を行う車両用通信装置に、時刻別の場所であって同じ時刻に複数の車両が割り当てられないようになっている場所および無線リソースを割り当てる割り当て部（４２）と、
割り当て部の割り当て結果を、車両用通信装置へ送信する管理装置側送信部（４３）とを備える。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
肌当接面及び非肌当接面を有し且つ布帛から構成される液透過性シートと、液不透過性シートと、前記液透過性シートの前記非肌当接面に隣接し且つ布帛から構成される溶液保持シートとを備え、厚さ方向を有する温感物品であって、
前記温感物品が、前記液透過性シート及び前記溶液保持シートに配置された、ＴＲＰチャネルを活性化する高温感付与剤と、溶媒とを含む温感付与溶液を含む温感付与領域を備え、
前記温感付与領域において、前記液透過性シートに存在する前記温感付与溶液の溶液密度が、前記溶液保持シートに存在する前記温感付与溶液の溶液密度よりも高く、
前記温感物品が、生理用ナプキン、パンティーライナー、使い捨ておむつ及びショーツ型生理用ナプキンからなる群から選択される、
ことを特徴とする、前記温感物品。
【請求項２】
前記溶媒が親油性溶媒であり、前記液透過性シートを構成する前記布帛の親油性度が、前記溶液保持シートを構成する前記布帛の親油性度よりも高い、請求項１に記載の温感物品。
【請求項３】
前記溶媒が親水性溶媒であり、前記液透過性シートを構成する前記布帛の親水性度が、前記溶液保持シートを構成する前記布帛の親水性度よりも高い、請求項１に記載の温感物品。
【請求項４】
前記温感物品が、前記温感付与領域と前記厚さ方向に重複する範囲に、前記溶液保持シートの、前記液透過性シートと反対側の面に隣接し且つ前記温感付与領域を構成する、布帛から構成される補助溶液保持シートをさらに備え、前記温感付与領域において、前記補助溶液保持シートに存在する前記温感付与溶液の溶液密度が、前記溶液保持シートに存在する前記温感付与溶液の溶液密度よりも低い、請求項１〜３のいずれか一項に記載の温感物品。
【請求項５】
前記温感付与領域において、前記補助溶液保持シートを構成する前記布帛の繊維密度が、前記溶液保持シートを構成する前記布帛の繊維密度よりも低い、請求項４に記載の温感物品。
【請求項６】
前記溶媒が親油性溶媒であり、前記液透過性シートを構成する前記布帛の親油性度が、前記溶液保持シートを構成する前記布帛の親油性度よりも高く、前記補助溶液保持シートを構成する前記布帛の親油性度が、前記溶液保持シートを構成する前記布帛の親油性度よりも低い、請求項４又は５に記載の温感物品。
【請求項７】
前記液透過性シートの、３ｇ／ｃｍ2荷重時の厚さに対する、３０ｇ／ｃｍ2の荷重時の厚さの比率である厚さ保持率が、前記溶液保持シートの前記厚さ保持率よりも小さい、請求項１〜６のいずれか一項に記載の温感物品。
【請求項８】
前記液透過性シートが、７０％以下の、前記厚さ保持率を有する、請求項７に記載の温感物品。
【請求項９】
前記温感物品の前記厚さ方向において、前記温感物品の前記温感付与領域と重複する領域の厚さが、前記温感物品の前記温感付与領域と重複しない領域の厚さよりも厚い、請求項１〜８のいずれか一項に記載の温感物品。
【請求項１０】
前記高温感付与剤が、ＴＲＰＶ１レセプターに対するアゴニストである、請求項１〜９のいずれか一項に記載の温感物品。
【請求項１１】
前記温感物品が発熱剤を含まない、請求項１〜１０のいずれか一項に記載の温感物品。
【請求項１２】
前記温感物品が、長手方向及び幅方向を有し、前記溶液保持シートの前記幅方向の長さが、前記溶液保持シートの前記長手方向の長さよりも長い、請求項１〜１１のいずれか一項に記載の温感物品。
【請求項１３】
前記液不透過性シートが、非透湿性フィルムを含む、請求項１〜１２のいずれか一項に記載の温感物品。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
演出用識別情報の変動表示を行い、遊技者にとって有利な有利状態に制御可能な遊技機であって、
前記演出用識別情報の変動表示を行い、前記演出用識別情報の変動表示結果を停止表示させる演出用変動表示手段と、
特別識別情報の変動表示を行い、前記特別識別情報の変動表示結果を停止表示する特別変動表示手段と、
前記演出用識別情報を特定態様で停止表示させることにより、前記有利状態に制御されることを示唆する示唆演出を実行可能な示唆演出実行手段と、
前記示唆演出実行手段により前記示唆演出が実行されるときに、前記演出用識別情報の視認性を変化させる特別演出を実行可能な特別演出実行手段と、を備え、
前記演出用変動表示手段は、前記特別変動表示手段による前記特別識別情報の変動表示の開始に対応して前記演出用識別情報の変動表示を開始するとともに、前記特別変動表示手段による前記特別識別情報の変動表示結果の停止表示に対応して前記演出用識別情報の変動表示結果を確定表示し、
前記特別演出実行手段は、前記演出用識別情報の変動表示結果が確定表示する前に前記特別演出を実行するとともに、前記演出用識別情報の変動表示結果が確定表示する前に前記特別演出を終了させる、
ことを特徴とする遊技機。
【手続補正２】
【補正対象書類名】明細書
【補正対象項目名】０００６
【補正方法】変更
【補正の内容】
【０００６】
手段Ａの遊技機は、
演出用識別情報（飾り図柄、小図柄等）の変動表示（可変表示等）を行い、遊技者にとって有利な有利状態（大当り遊技状態等）に制御可能な遊技機（パチンコ遊技機１）であって、
前記演出用識別情報の変動表示を行い、前記演出用識別情報の変動表示結果を停止表示させる演出用変動表示手段（演出制御用ＣＰＵ１２０）と、
特別識別情報（第１特別図柄、第２特別図柄等）の変動表示（可変表示）を行い、前記特別識別情報の変動表示結果を停止表示する特別変動表示手段（遊技制御用マイクロコンピュータ１００）と、
前記演出用識別情報を特定態様で停止表示させる（青色の偶数図柄又は赤色の奇数図柄の組み合わせを停止表示させる、あるいは、有効ライン上に飾り図柄が揃っていない状態（所謂ズレ目の状態）で仮停止表示させる等）ことにより、前記有利状態に制御されることを示唆する示唆演出（先読み予告演出としてのチャンス目停止演出、実行中の可変表示の表示結果を示唆する疑似連演出等）を実行可能な示唆演出実行手段（演出制御用ＣＰＵ１２０）と、
前記示唆演出実行手段により前記示唆演出が実行されるときに、前記演出用識別情報の視認性を変化させる特別演出（例えば、図８−３（２）及び（３）に示すように、背景画像１７ＴＭ０１０を横方向に圧縮することにより背景画像１７ＴＭ０１０ａに変形させることに伴い、キャラクタを含む飾り図柄１７ＴＭ００１からキャラクタが消去され且つ縦方向に伸張された飾り図柄１７ＴＭ００１ａに変化させる演出）を実行可能な特別演出実行手段（演出制御用ＣＰＵ１２０）と、を備え、
前記演出用変動表示手段（演出制御用ＣＰＵ１２０）は、前記特別変動表示手段による前記特別識別情報の変動表示の開始に対応して前記演出用識別情報（飾り図柄、小図柄等）の変動表示を開始する（特別図柄の可変表示が開始されることを指定する演出制御コマンドを受信したことに基づいて飾り図柄及び小図柄の可変表示を開始する）とともに、前記特別変動表示手段による前記特別識別情報の変動表示結果の停止表示に対応して前記演出用識別情報の変動表示結果を確定表示し（特別図柄が停止表示されたことを指定する演出制御コマンドを受信したことに基づいて飾り図柄及び小図柄の表示結果を確定表示させ）、
前記特別演出実行手段（演出制御用ＣＰＵ１２０）は、前記演出用識別情報の変動表示結果が確定表示する前に前記特別演出を実行するとともに、前記演出用識別情報の変動表示結果が確定表示する前に前記特別演出を終了させる（例えば、図８−３（３）及び（４）に示すように、キャラクタを含む飾り図柄１７ＴＭ００１を確定表示する前に、キャラクタが消去され且つ縦方向に伸張された飾り図柄１７ＴＭ００１ａの表示を終了する）、
ことを特徴とする遊技機である。
また、手段１の遊技機として、
演出用識別情報（飾り図柄、小図柄等）の変動表示（可変表示等）を行い、遊技者にとって有利な有利状態（大当り遊技状態等）に制御可能な遊技機（パチンコ遊技機１）であって、
前記演出用識別情報の変動表示を行い、前記演出用識別情報の変動表示結果を停止表示させる演出用変動表示手段（演出制御用ＣＰＵ１２０）と、
前記演出用識別情報を特定態様で停止表示させる（青色の偶数図柄又は赤色の奇数図柄の組み合わせを停止表示させる、あるいは、有効ライン上に飾り図柄が揃っていない状態（所謂ズレ目の状態）で仮停止表示させる等）ことにより、前記有利状態に制御されることを示唆する示唆演出（先読み予告演出としてのチャンス目停止演出、実行中の可変表示の表示結果を示唆する疑似連演出等）を実行可能な示唆演出実行手段（演出制御用ＣＰＵ１２０）と、
前記示唆演出実行手段により前記示唆演出が実行されるときに、前記演出用識別情報の視認性を変化させる特別演出（例えば、図８−３（２）及び（３）に示すように、背景画像１７ＴＭ０１０を横方向に圧縮することにより背景画像１７ＴＭ０１０ａに変形させることに伴い、キャラクタを含む飾り図柄１７ＴＭ００１からキャラクタが消去され且つ縦方向に伸張された飾り図柄１７ＴＭ００１ａに変化させる演出）を実行可能な特別演出実行手段（演出制御用ＣＰＵ１２０）と、を備える、
ことを特徴としてもよい。
このような構成によれば、演出効果の向上を図ることができ、興趣を向上させることができる。
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
容器と、
シャフトと、
前記容器の外部から前記容器の内部へ液体を導くための供給管と、
前記容器の内部に配置され、前記液体を吸入するための吸入孔及び前記吸入孔を通って吸入された前記液体を吐出するための吐出孔を有し、前記シャフトの回転によって前記液体を吸入し吐出するポンプ機構と、
前記吸入孔の入口側で前記容器の内部に位置し、前記供給管が形成する流路と前記吸入孔とを連通させる吸入空間と、を備え、
前記吸入空間は、鉛直方向において、前記供給管の前記容器側の端が形成する開口よりも上方に位置し、前記液体とともに前記供給管を通って導かれる気体を前記液体と分離するために前記気体を滞留させる気体滞留エリアを有し、
前記供給管は、前記開口の中心と前記シャフトの回転軸線とを結ぶ線分Ａ及び前記吸入孔の入口の中心と前記シャフトの回転軸線とを結ぶ線分Ｂを前記シャフトの回転軸線に直交する平面に投影したとき、前記線分Ａと前記線分Ｂとのなす角の角度が９０度〜２７０度であるよう、配置されている、
液体用ポンプ。
【請求項２】
前記供給管の前記容器側の端は、鉛直方向において、前記吸入孔の入口の高さ又は前記吸入孔の入口より上方に位置する、請求項１に記載の液体用ポンプ。
【請求項３】
前記開口の中心と、前記吸入孔の入口の中心とを結んだ線分上に配置された所定の部材をさらに備えた、請求項１又は２に記載の液体用ポンプ。
【請求項４】
前記吸入空間を、前記供給管の前記容器側の端に接する上部空間と前記吸入孔の入口に接する下部空間とに仕切る仕切部材をさらに備えた、請求項１〜３のいずれか１項に記載の液体用ポンプ。
【請求項５】
前記供給管は、前記供給管の中心軸線を前記容器の内部に延長した直線と、前記吸入孔の入口の中心を通り前記吸入孔の入口と直交する直線とが異なる平面に含まれるように、配置されている、請求項１〜４のいずれか１項に記載の液体用ポンプ。
【請求項６】
前記容器の内部に配置され、前記ポンプ機構を駆動するように前記シャフトによって前記ポンプ機構に連結された電動機をさらに備えた、請求項１〜５のいずれか１項に記載の液体用ポンプ。
【請求項７】
前記吸入空間が前記液体を貯留するための貯留エリアを有する、請求項１〜６のいずれか１項に記載の液体用ポンプ。
【請求項８】
作動流体を加熱する加熱器と、
前記加熱器によって加熱された前記作動流体を膨張させるための膨張機と、
前記膨張機によって膨張した前記作動流体の有する熱を放熱する放熱器と、
請求項１〜７のいずれか１項に記載の液体用ポンプと、を備え、
前記放熱器から流出した液体状態の前記作動流体が前記液体として前記供給管を経由して前記容器の内部に導かれる、
ランキンサイクル装置。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
アルコール乱用、薬物乱用、強迫的行動、ギャンブル中毒、躁症状、恐怖症、パニック発作、喫煙、統合失調症的行動、身体化、不安症、吃音、又はチック障害を処置又は予防するための薬剤の製造における、対応する（−）鏡像異性体を実質的に含まない、有効量の（＋）−１−（３，４−ジクロロフェニル）−３−アザビシクロ［３．１．０］ヘキサン又はその製薬学的に許容し得る塩の使用。
【請求項２】
ヒトの鬱病を処置するための薬剤の製造における、対応する（−）鏡像異性体を実質的に含まない、有効量の（＋）−１−（３，４−ジクロロフェニル）−３−アザビシクロ［３．１．０］ヘキサン又はその製薬学的に許容し得る塩の使用であって、前記ヒトは、鬱病について以前に処置されており、且つ過去の鬱病処置過程に対して以前は難治性であった、使用。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
単離抗体またはそのＢＣＭＡ結合フラグメントであって、
Ａｂ−１の６つのＣＤＲを含む抗体、
Ａｂ−２の６つのＣＤＲを含む抗体、
Ａｂ−３の６つのＣＤＲを含む抗体、
Ａｂ−４の６つのＣＤＲを含む抗体、
Ａｂ−５の６つのＣＤＲを含む抗体、
Ａｂ−６の６つのＣＤＲを含む抗体、
Ａｂ−７の６つのＣＤＲを含む抗体、
Ａｂ−８の６つのＣＤＲを含む抗体、
Ａｂ−９の６つのＣＤＲを含む抗体、
Ａｂ−１０の６つのＣＤＲを含む抗体、
Ａｂ−１１の６つのＣＤＲを含む抗体、
Ａｂ−１２の６つのＣＤＲを含む抗体、
Ａｂ−１３の６つのＣＤＲを含む抗体、
Ａｂ−１４の６つのＣＤＲを含む抗体、
Ａｂ−１５の６つのＣＤＲを含む抗体、
Ａｂ−１６の６つのＣＤＲを含む抗体、
Ａｂ−１７の６つのＣＤＲを含む抗体、
Ａｂ−１８の６つのＣＤＲを含む抗体、
Ａｂ−１９の６つのＣＤＲを含む抗体、
Ａｂ−２０の６つのＣＤＲを含む抗体、
Ａｂ−２１の６つのＣＤＲを含む抗体、
Ａｂ−２２の６つのＣＤＲを含む抗体、
Ａｂ−２３の６つのＣＤＲを含む抗体、
Ａｂ−２４の６つのＣＤＲを含む抗体、
Ａｂ−２５の６つのＣＤＲを含む抗体、
Ａｂ−２６の６つのＣＤＲを含む抗体、
Ａｂ−２７の６つのＣＤＲを含む抗体、
Ａｂ−２８の６つのＣＤＲを含む抗体、
Ａｂ−２９の６つのＣＤＲを含む抗体、
Ａｂ−３０の６つのＣＤＲを含む抗体、
Ａｂ−３１の６つのＣＤＲを含む抗体、
Ａｂ−３２の６つのＣＤＲを含む抗体、
Ａｂ−３３の６つのＣＤＲを含む抗体、
Ａｂ−３４の６つのＣＤＲを含む抗体、
Ａｂ−３５の６つのＣＤＲを含む抗体、
Ａｂ−３６の６つのＣＤＲを含む抗体、
Ａｂ−３７の６つのＣＤＲを含む抗体、及び
Ａｂ−３８の６つのＣＤＲを含む抗体からなる群から選択される、単離抗体またはそのＢＣＭＡ結合フラグメントであって、
前記Ａｂ−１のＣＤＲは、配列番号４を含むＶｈ−ＣＤＲ１、配列番号５を含むＶｈ−ＣＤＲ２、配列番号６を含むＶｈ−ＣＤＲ３、配列番号１０６を含むＶｌ−ＣＤＲ１、配列番号１０７を含むＶｌ−ＣＤＲ２、及び配列番号１０８を含むＶｌ−ＣＤＲ３を含み、前記Ａｂ−２のＣＤＲは、配列番号１０を含むＶｈ−ＣＤＲ１、配列番号１１を含むＶｈ−ＣＤＲ２、配列番号１２を含むＶｈ−ＣＤＲ３、配列番号１１２を含むＶｌ−ＣＤＲ１、配列番号１１３を含むＶｌ−ＣＤＲ２、及び配列番号１１４を含むＶｌ−ＣＤＲ３を含み、前記Ａｂ−３のＣＤＲは、配列番号１６を含むＶｈ−ＣＤＲ１、配列番号１７を含むＶｈ−ＣＤＲ２、配列番号１８を含むＶｈ−ＣＤＲ３、配列番号１１８を含むＶｌ−ＣＤＲ１、配列番号１１９を含むＶｌ−ＣＤＲ２、及び配列番号１２０を含むＶｌ−ＣＤＲ３を含み、前記Ａｂ−４のＣＤＲは、配列番号２２を含むＶｈ−ＣＤＲ１、配列番号２３を含むＶｈ−ＣＤＲ２、配列番号２４を含むＶｈ−ＣＤＲ３、配列番号１２４を含むＶｌ−ＣＤＲ１、配列番号１２５を含むＶｌ−ＣＤＲ２、及び配列番号１２６を含むＶｌ−ＣＤＲ３を含み、前記Ａｂ−５のＣＤＲは、配列番号２８を含むＶｈ−ＣＤＲ１、配列番号２９を含むＶｈ−ＣＤＲ２、配列番号３０を含むＶｈ−ＣＤＲ３、配列番号１３０を含むＶｌ−ＣＤＲ１、配列番号１３１を含むＶｌ−ＣＤＲ２、及び配列番号１３２を含むＶｌ−ＣＤＲ３を含み、前記Ａｂ−６のＣＤＲは、配列番号３４を含むＶｈ−ＣＤＲ１、配列番号３５を含むＶｈ−ＣＤＲ２、配列番号３６を含むＶｈ−ＣＤＲ３、配列番号１３６を含むＶｌ−ＣＤＲ１、配列番号１３７を含むＶｌ−ＣＤＲ２、及び配列番号１３８を含むＶｌ−ＣＤＲ３を含み、前記Ａｂ−７のＣＤＲは、配列番号４０を含むＶｈ−ＣＤＲ１、配列番号４１を含むＶｈ−ＣＤＲ２、配列番号４２を含むＶｈ−ＣＤＲ３、配列番号１４２を含むＶｌ−ＣＤＲ１、配列番号１４３を含むＶｌ−ＣＤＲ２、及び配列番号１４４を含むＶｌ−ＣＤＲ３を含み、前記Ａｂ−８のＣＤＲは、配列番号４６を含むＶｈ−ＣＤＲ１、配列番号４７を含むＶｈ−ＣＤＲ２、配列番号４８を含むＶｈ−ＣＤＲ３、配列番号１４８を含むＶｌ−ＣＤＲ１、配列番号１４９を含むＶｌ−ＣＤＲ２、及び配列番号１５０を含むＶｌ−ＣＤＲ３を含み、前記Ａｂ−９のＣＤＲは、配列番号５２を含むＶｈ−ＣＤＲ１、配列番号５３を含むＶｈ−ＣＤＲ２、配列番号５４を含むＶｈ−ＣＤＲ３、配列番号１５４を含むＶｌ−ＣＤＲ１、配列番号１５５を含むＶｌ−ＣＤＲ２、及び配列番号１５６を含むＶｌ−ＣＤＲ３を含み、前記Ａｂ−１０のＣＤＲは、配列番号５８を含むＶｈ−ＣＤＲ１、配列番号５９を含むＶｈ−ＣＤＲ２、配列番号６０を含むＶｈ−ＣＤＲ３、配列番号１６０を含むＶｌ−ＣＤＲ１、配列番号１６１を含むＶｌ−ＣＤＲ２、及び配列番号１６２を含むＶｌ−ＣＤＲ３を含み、前記Ａｂ−１１のＣＤＲは、配列番号６４を含むＶｈ−ＣＤＲ１、配列番号６５を含むＶｈ−ＣＤＲ２、配列番号６６を含むＶｈ−ＣＤＲ３、配列番号１６６を含むＶｌ−ＣＤＲ１、配列番号１６７を含むＶｌ−ＣＤＲ２、及び配列番号１６８を含むＶｌ−ＣＤＲ３を含み、前記Ａｂ−１２のＣＤＲは、配列番号７０を含むＶｈ−ＣＤＲ１、配列番号７１を含むＶｈ−ＣＤＲ２、配列番号７２を含むＶｈ−ＣＤＲ３、配列番号１７２を含むＶｌ−ＣＤＲ１、配列番号１７３を含むＶｌ−ＣＤＲ２、及び配列番号１７４を含むＶｌ−ＣＤＲ３を含み、前記Ａｂ−１３のＣＤＲは、配列番号７６を含むＶｈ−ＣＤＲ１、配列番号７７を含むＶｈ−ＣＤＲ２、配列番号７８を含むＶｈ−ＣＤＲ３、配列番号１７８を含むＶｌ−ＣＤＲ１、配列番号１７９を含むＶｌ−ＣＤＲ２、及び配列番号１８０を含むＶｌ−ＣＤＲ３を含み、前記Ａｂ−１４のＣＤＲは、配列番号８２を含むＶｈ−ＣＤＲ１、配列番号８３を含むＶｈ−ＣＤＲ２、配列番号８４を含むＶｈ−ＣＤＲ３、配列番号１８４を含むＶｌ−ＣＤＲ１、配列番号１８５を含むＶｌ−ＣＤＲ２、及び配列番号１８６を含むＶｌ−ＣＤＲ３を含み、前記Ａｂ−１５のＣＤＲは、配列番号８８を含むＶｈ−ＣＤＲ１、配列番号８９を含むＶｈ−ＣＤＲ２、配列番号９０を含むＶｈ−ＣＤＲ３、配列番号１９０を含むＶｌ−ＣＤＲ１、配列番号１９１を含むＶｌ−ＣＤＲ２、及び配列番号１９２を含むＶｌ−ＣＤＲ３を含み、前記Ａｂ−１６のＣＤＲは、配列番号９４を含むＶｈ−ＣＤＲ１、配列番号９５を含むＶｈ−ＣＤＲ２、配列番号９６を含むＶｈ−ＣＤＲ３、配列番号１９６を含むＶｌ−ＣＤＲ１、配列番号１９７を含むＶｌ−ＣＤＲ２、及び配列番号１９８を含むＶｌ−ＣＤＲ３を含み、前記Ａｂ−１７のＣＤＲは、配列番号１００を含むＶｈ−ＣＤＲ１、配列番号１０１を含むＶｈ−ＣＤＲ２、配列番号１０２を含むＶｈ−ＣＤＲ３、配列番号２０２を含むＶｌ−ＣＤＲ１、配列番号２０３を含むＶｌ−ＣＤＲ２、及び配列番号２０４を含むＶｌ−ＣＤＲ３を含む、抗体またはフラグメント。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
ＩＬ−１７又はＴｈ１７経路によって媒介される疾患又は状態を治療又は予防する方法に使用するための、ロゼブリア属の細菌株を含む組成物。
【請求項２】
アトピー性皮膚炎；アレルギー性喘息又は好中球性喘息などの喘息；関節リウマチ、変形性関節症、乾癬性関節炎、又は若年性特発性関節炎などの関節炎；多発性硬化症；視神経脊髄炎（デビック病）；強直性脊椎炎；脊椎関節炎；乾癬；全身性紅斑性狼瘡；クローン病又は潰瘍性大腸炎などの炎症性腸疾患；セリアック病；慢性閉塞性肺疾患（ＣＯＰＤ）；乳がん、結腸がん、肺がん、又は卵巣がんなどのがん；ブドウ膜炎；強膜炎；血管炎；ベーチェット病；アテローム性動脈硬化症；肺気腫；歯周炎；アレルギー性鼻炎；及び同種異系移植片拒絶からなる群から選択される疾患又は状態を治療又は予防する方法に使用するための、請求項１に記載の組成物。
【請求項３】
アトピー性皮膚炎を治療又は予防する方法に使用するための、請求項２に記載の組成物。
【請求項４】
好中球性喘息又はアレルギー性喘息などの喘息を治療又は予防する方法に使用するための、請求項２に記載の組成物。
【請求項５】
喘息の治療において好中球増加又は好酸球増加を低減させる方法に使用するための、請求項４に記載の組成物。
【請求項６】
関節リウマチを治療又は予防する方法に使用するための、請求項２に記載の組成物。
【請求項７】
関節リウマチにおける関節の腫脹を低減させる方法に使用するための、請求項６に記載の組成物。
【請求項８】
多発性硬化症を治療又は予防する方法に使用するための、請求項２に記載の組成物。
【請求項９】
疾患の発生率又は疾患の重症度を低減させる方法に使用するための、請求項８に記載の組成物。
【請求項１０】
ＩＬ−１７又はＴｈ１７経路によって媒介される疾患又は状態の治療又は予防において、ＩＬ−１７の産生を低減させる又はＴｈ１７細胞の分化を低減させる方法に使用するための、請求項１〜９のいずれかに記載の組成物。
【請求項１１】
ＩＬ−１７レベル又はＴｈ１７細胞が上昇している患者に使用するための、請求項１〜１０のいずれかに記載の組成物。
【請求項１２】
細菌株が、ロゼブリア・ホミニスの細菌株である、請求項１〜１１のいずれかに記載の組成物。
【請求項１３】
細菌株が、ロゼブリア・ホミニスの細菌株の１６ｓ  ｒＲＮＡ配列と少なくとも９５％、９６％、９７％、９８％、９９％、９９．５％又は９９．９％同一である１６ｓ  ｒＲＮＡ配列を有する、請求項１〜１２のいずれかに記載の組成物。
【請求項１４】
細菌株が、配列番号１、２又は３と少なくとも９５％、９６％、９７％、９８％、９９％、９９．５％又は９９．９％同一である１６ｓ  ｒＲＮＡ配列を有する、請求項１〜１２のいずれかに記載の組成物。
【請求項１５】
細菌株が、配列番号３と少なくとも９５％、９６％、９７％、９８％、９９％、９９．５％又は９９．９％同一である１６ｓ  ｒＲＮＡ配列を有するか、又は細菌株が、配列番号３によって表される１６ｓ  ｒＲＮＡ配列を有する、請求項１４に記載の組成物。
【請求項１６】
関節リウマチを治療又は予防する方法に使用するための、ロゼブリア・ホミニス種の細菌株を含む、請求項１に記載の組成物。
【請求項１７】
好中球性喘息又はアレルギー性喘息などの喘息を治療又は予防する方法に使用するための、ロゼブリア・ホミニス種の細菌株を含む、請求項１に記載の組成物。
【請求項１８】
多発性硬化症を治療又は予防する方法に使用するための、ロゼブリア・ホミニス種の細菌株を含む、請求項１に記載の組成物。
【請求項１９】
経口投与用である、請求項１〜１８のいずれかに記載の組成物。
【請求項２０】
１又は２以上の薬学的に許容される賦形剤又は担体を含む、請求項１〜１９のいずれかに記載の組成物。
【請求項２１】
細菌株が凍結乾燥されている、請求項１〜２０のいずれかに記載の組成物。
【請求項２２】
食品である、請求項１〜２１のいずれかに記載の組成物。
【請求項２３】
ワクチン組成物である、請求項１〜２１のいずれかに記載の組成物。
【請求項２４】
ロゼブリア属の細菌株を含む、ＩＬ−１７又はＴｈ１７経路によって媒介される疾患又は状態の治療又は予防剤。
【請求項２５】
受託番号ＮＣＩＭＢ  ４２３８３として寄託されたロゼブリア・ホミニス株又はその派生物の細胞。
【請求項２６】
請求項２５に記載の細胞を含む組成物。
【請求項２７】
薬学的に許容される担体又は賦形剤を含む、請求項２６に記載の組成物。
【請求項２８】
受託番号ＮＣＩＭＢ  ４２３８３として寄託されたロゼブリア・ホミニス株又はその派生物の生物学的に純粋な培養物。
【請求項２９】
治療に使用するための、受託番号ＮＣＩＭＢ  ４２３８３として寄託されたロゼブリア・ホミニス株又はその派生物の細胞。
【請求項３０】
請求項１〜１０のいずれかに規定の方法に使用するための、請求項２９に記載の細胞。
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
約０．０１ｍＬから約１０ｍＬの水と；約０．１ｍｇ／ｍＬから約１００ｍｇ／ｍＬまでの濃度のニンテダニブ塩とを含む、噴霧化吸入投与用の水溶液の単位用量であって、ここで、水溶液のモル浸透圧は、約５０ｍＯｓｍｏｌ／ｋｇから約２０００ｍＯｓｍｏｌ／ｋｇである、ことを特徴とする水溶液の単位用量。
【請求項２】
水溶液は、クエン酸緩衝剤、フマル酸緩衝剤、もしくはリン酸緩衝剤、またはそれらの組み合わせである緩衝剤をさらに含む、請求項１に記載の水溶液の単位用量。
【請求項３】
水溶液のｐＨは、約ｐＨ３．０から約ｐＨ８．０である、請求項１に記載の水溶液の単位用量。
【請求項４】
水溶液は無機塩類をさらに含む、請求項１に記載の水溶液の単位用量。
【請求項５】
前記単位用量を哺乳動物へ吸入により投与して、それによって、前記哺乳動物における強制肺活量の低下を減少させる工程を含む、哺乳動物の肺の線維性疾患または癌疾患を処置するための方法において使用するための、請求項１に記載の水溶液の単位用量。
【請求項６】
単位用量を、肺におけるニンテダニブ塩の少なくとも７％の肺沈着を達成するために、液体噴霧器により投与する、請求項５に記載の水溶液の単位用量。
【請求項７】
哺乳動物はヒトである、請求項６に記載の水溶液の単位用量。
【請求項８】
液体噴霧器は、約１．０μｍから約２．５μｍの水溶液の放出された液滴粒度分布の幾何学的な標準偏差（ＧＳＤ）と、約１μｍから約５μｍの高性能液体噴霧器で放出された水溶液の液滴サイズの空気動力学的中央粒子径（ＭＭＡＤ）と、を有するニンテダニブ塩のエアロゾルを生成する、請求項７に記載の水溶液の単位用量。
【請求項９】
液体噴霧器は、少なくとも０．１ｍＬ／ｍｉｎの消費速度を提供する、および／または哺乳動物に少なくとも約２５％の水溶液を提供する、請求項８に記載の水溶液の単位用量。
【請求項１０】
前記方法は、約１から約５ミクロンまでの質量中央径（ＭＭＡＤ）の粒子サイズで、２０分未満で、哺乳動物の肺に前記単位用量を送達する工程を含む、請求項８に記載の水溶液の単位用量。
【請求項１１】
無機塩類は、約０．１％から約１．０％までの濃度を有する、請求項４に記載の水溶液の単位用量。
【請求項１２】
水溶液は、約３０ｍＭから約３００ｍＭまでの濃度の浸透性イオンを有する、請求項１に記載の水溶液の単位用量。
【請求項１３】
浸透性イオンは、塩化物または臭化物である、請求項１２に記載の水溶液の単位用量。
【請求項１４】
塩化マグネシウム、エタノール、ポリプロピレングリコール、グリセリン、ポリソルベート８０、セチルピリジニウムブロミド、セチルピリジウムクロリド、フルクトース、グルコース、ラクトース、スクロース、マンニトール、および塩化ナトリウム、ならびにそれらの組み合わせから成る群から選択される少なくとも１つの成分をさらに含む、請求項１に記載の水溶液の単位用量。
【請求項１５】
無機塩類は、塩化ナトリウム、塩化マグネシウム、臭化ナトリウム、塩化カルシウム、および臭化カルシウムから成る群から選択され、ここで、無機塩類の合計量は、水溶液の約０．０１から２．０％ｗ／ｗまでである、請求項４に記載の水溶液の単位用量。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
少なくとも1つのカチオン性脂質と少なくとも1つの抗原をコードしているRNAを含むナノ粒子を含む医薬組成物であって、生理的なpHにおいて、ナノ粒子が正味の中性電荷又は正味の負電荷を有する、医薬組成物。
【請求項２】
ナノ粒子における正電荷と負電荷との電荷比が1:2から1.9:2の間である、請求項1に記載の医薬組成物。
【請求項３】
ナノ粒子における正電荷と負電荷との電荷比が1:2から1:1.2の間である、請求項1に記載の医薬組成物。
【請求項４】
ナノ粒子における正電荷と負電荷との電荷比が1:2から1.6:2の間である、請求項1に記載の医薬組成物。
【請求項５】
ナノ粒子における正電荷と負電荷との電荷比が1.1:2から1.6:2の間である、請求項1に記載の医薬組成物。
【請求項６】
ナノ粒子における正電荷と負電荷との電荷比が1.3:2である、請求項1に記載の医薬組成物。
【請求項７】
正電荷が少なくとも1つのカチオン性脂質により寄与され、負電荷がRNAにより寄与される、請求項1から6のいずれか一項に記載の医薬組成物。
【請求項８】
少なくとも1つのカチオン性脂質が、1,2-ジ-O-オクタデセニル-3-トリメチルアンモニウムプロパン(DOTMA)及び/又は1,2-ジオレオイル-3-トリメチルアンモニウム-プロパン(DOTAP)、好ましくはDOTMAを含む、請求項1から7のいずれか一項に記載の医薬組成物。
【請求項９】
ナノ粒子が少なくとも1つのヘルパー脂質をさらに含み、好ましくはヘルパー脂質が中性脂質である、請求項1から8のいずれか一項に記載の医薬組成物。
【請求項１０】
少なくとも1つのヘルパー脂質が、1,2-ジ-(9Z-オクタデセノイル)-sn-グリセロ-3-ホスホエタノールアミン(DOPE)、コレステロール(Chol)及び/又は1,2-ジオレオイル-sn-グリセロ-3-ホスホコリン(DOPC)、好ましくはDOPEを含む、請求項9に記載の医薬組成物。
【請求項１１】
少なくとも1つのカチオン性脂質がDOTMAであり、少なくとも1つのヘルパー脂質がDOPEである、請求項9に記載の医薬組成物。
【請求項１２】
少なくとも1つのカチオン性脂質と少なくとも1つのヘルパー脂質とのモル比が、4:1から2:3、7:3から1:1、又は2:1から1:1である、請求項9または10に記載の医薬組成物。
【請求項１３】
少なくとも1つのカチオン性脂質と少なくとも1つのヘルパー脂質とのモル比が、約2:1である、請求項9から11のいずれか一項に記載の医薬組成物。
【請求項１４】
DOTMAとDOPEとのモル比が約2:1である、請求項11に記載の医薬組成物。
【請求項１５】
動的光散乱により測定されるナノ粒子の多分散指標は、0.5以下、好ましくは0.4以下又はさらにより好ましくは0.3以下である、請求項1から14のいずれか一項に記載の医薬組成物。
【請求項１６】
ナノ粒子が、50nmから1000nm、好ましくは、100nmから800nm、好ましくは、200nmから700nm、例えば、300nmから500nmの範囲の、動的光散乱により測定される平均直径を有する、請求項1から15のいずれか一項に記載の医薬組成物。
【請求項１７】
ナノ粒子が、250nmから700nmの範囲の平均直径を有する、請求項1から16のいずれか一項に記載の医薬組成物。
【請求項１８】
ナノ粒子が、0mVから-50mV、好ましくは、0mVから-40mV又は-10mVから-30mVのゼータ電位を有する、請求項1から17のいずれか一項に記載の医薬組成物。
【請求項１９】
RNAがmRNAである、請求項1から18のいずれか一項に記載の医薬組成物。
【請求項２０】
抗原が、疾患関連抗原である、又は疾患関連抗原若しくは疾患関連抗原を発現している細胞に対する免疫応答を誘発する、請求項1から19のいずれか一項に記載の医薬組成物。
【請求項２１】
ナノ粒子の全身投与後に、脾臓におけるRNA発現が、肺におけるRNA発現の量の少なくとも5倍である、請求項1から20のいずれか一項に記載の医薬組成物。
【請求項２２】
対象において免疫応答、好ましくはがんに対する免疫応答を誘導するための、請求項1から21のいずれか一項に記載の医薬組成物。
【請求項２３】
対象において抗原が関与する疾患、好ましくはがん疾患を治療する又は予防するための、請求項1から22のいずれか一項に記載の医薬組成物。
【請求項２４】
生理学的pHにおけるナノ粒子の陽性電荷と陰性電荷の全体の電荷比が1.3:2であり、
動的光散乱により測定されるナノ粒子の多分散指標が0.5以下であり、
ナノ粒子が、動的光散乱により測定される約250nmから約700nmの範囲の平均直径を有し、
少なくとも1つのカチオン性脂質がDOTMAであり、少なくとも1つのヘルパー脂質がDOPEであり、かつ
DOTMAとDOPEとのモル比が約2:1である、請求項1から23のいずれか一項に記載の医薬組成物。
【請求項２５】
少なくとも1つの抗原をコードしているRNAが、マスキングされていないポリA配列を含む、請求項1から24のいずれか一項に記載の医薬組成物。
【請求項２６】
マスキングされていないポリA配列が約120塩基対の長さを有する、請求項25に記載の医薬組成物。
【請求項２７】
少なくとも1つの抗原をコードしているRNAが、3'非翻訳領域(UTR)を含む、請求項1から26のいずれか一項に記載の医薬組成物。
【請求項２８】
少なくとも1つの抗原をコードしているRNAが、5'-キャップをさらに含む、請求項1から27のいずれか一項に記載の医薬組成物。
【請求項２９】
5'-キャップが、
【化１】
2019031571.tif 000001
[式中、R1及びR2は、独立して、ヒドロキシ又はメトキシであり、
W-、X-及びY-は独立して酸素、硫黄、セレン及びBH3からなる群より選択される]
を含む、請求項28に記載の医薬組成物。
【請求項３０】
(a) R1及びR2がOHであり、W-、X-及びY-が酸素である、
(b) R1及びR2の一方がOHであり、他方はメトキシであり、W-、X-及びY-が酸素である、
(c) R1及びR2がOHであり、X-が硫黄であり、W-及びY-が酸素である、あるいは
(d) R2がOHであり、R1がメトキシであり、W-、X-及びY-の1つが硫黄であり、他の2つは酸素である、
請求項29に記載の医薬組成物。
【請求項３１】
R2がOHであり、R1がメトキシであり、X-が硫黄であり、W-及びY-が酸素である、請求項29又は30に記載の医薬組成物。
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
前腫瘍性口腔病変の治療用医薬組成物であって、
合成５’キャップを含み、かつ、カルプロテクチン、Ｓ１００Ａ８またはＳ１００Ａ９から選択される細胞増殖の抑制に関連するポリペプチドをコードするｍＲＮＡと、局所投与のために処方される薬学的に許容可能なイン・ビボ送達ビヒクルとを含んでなり、
前記医薬組成物が前記ポリペプチドを発現する粘膜扁平上皮細胞への局所投与のために処方されたものである、医薬組成物。
【請求項２】
前記５’キャップがアンチリバースキャップアナログ（ＡＲＣＡ）である、請求項１に記載の医薬組成物。
【請求項３】
前記ｍＲＮＡがさらに３’伸長安定化部分を含んでなる、請求項１または２に記載の医薬組成物。
【請求項４】
前記細胞が前腫瘍性口腔病変を有する対象の細胞である、請求項１〜３のいずれか一項に記載の医薬組成物。
【請求項５】
前記細胞が、前記細胞にｍＲＮＡを導入する前に、前記細胞から粘液を除去するために洗浄されるものである、請求項１〜４のいずれか一項に記載の医薬組成物。
【請求項６】
前記粘液が唾液を含んでなる、請求項５に記載の医薬組成物。
【請求項７】
合成５’キャップを含み、かつ、カルプロテクチン、Ｓ１００Ａ８またはＳ１００Ａ９から選択される細胞増殖の抑制に関連するポリペプチドをコードするｍＲＮＡと、局所投与のために処方される薬学的に許容可能なイン・ビボ送達ビヒクルとを含んでなる、組成物。
【請求項８】
前記５’キャップがアンチリバースキャップアナログ（ＡＲＣＡ）である、請求項７に記載の組成物。
【請求項９】
前記ｍＲＮＡがさらに３’伸長安定化部分を含んでなる、請求項７に記載の組成物。
【請求項１０】
前腫瘍性口腔病変の治療に使用するための、請求項７〜９のいずれか一項に記載の組成物。
【請求項１１】
合成５’キャップを含み、かつ、カルプロテクチン、Ｓ１００Ａ８またはＳ１００Ａ９から選択される細胞増殖の抑制に関連するポリペプチドをコードするｍＲＮＡと、経口投与のために処方される薬学的に許容可能なイン・ビボ送達ビヒクルとを含んでなる、組成物。
【請求項１２】
前記５’キャップがアンチリバースキャップアナログ（ＡＲＣＡ）である、請求項１１に記載の組成物。
【請求項１３】
前記ｍＲＮＡがさらに３’伸長安定化部分を含んでなる、請求項１１に記載の組成物。
【請求項１４】
癌腫の治療に使用するための、請求項１１〜１３のいずれか一項に記載の組成物。
【請求項１５】
上皮細胞癌腫の治療用医薬組成物であって、
合成５’キャップを含み、かつ、カルプロテクチン、Ｓ１００Ａ８またはＳ１００Ａ９から選択される細胞増殖の抑制に関連するポリペプチドをコードするｍＲＮＡと、局所投与のために処方される薬学的に許容可能なイン・ビボ送達ビヒクルとを含んでなり、
前記医薬組成物が前記ポリペプチドを発現する粘膜扁平上皮細胞への経口投与のために処方されたものである、医薬組成物。
【請求項１６】
前記５’キャップがアンチリバースキャップアナログ（ＡＲＣＡ）である、請求項１５に記載の医薬組成物。
【請求項１７】
前記ｍＲＮＡがさらに３’伸長安定化部分を含んでなる、請求項１５または１６に記載の医薬組成物。
【請求項１８】
前記細胞が癌腫を有する対象の細胞である、請求項１５〜１７のいずれか一項に記載の医薬組成物。
【請求項１９】
前記細胞が、前記細胞にｍＲＮＡを導入する前に、前記細胞から粘液を除去するために洗浄されるものである、請求項１５〜１８のいずれか一項に記載の医薬組成物。
【請求項２０】
前記粘液が唾液を含んでなる、請求項１９に記載の医薬組成物。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
歯槽骨の消失を患っている対象における歯槽骨の高さを増加させるための、抗スクレロスチン抗体を含む組成物であって、前記抗スクレロスチン抗体は、以下：
a) 配列番号48、49および50のCDR配列ならびに配列番号45、46および47のCDR配列、
b) 配列番号42、43および44のCDR配列ならびに配列番号39、40および41のCDR配列、
c) 配列番号275、276および277のCDR配列ならびに配列番号287、288および289のCDR配列、
d) 配列番号278、279および280のCDR配列ならびに配列番号290、291および292のCDR配列、
e) 配列番号281、282および283のCDR配列ならびに配列番号293、294および295のCDR配列、
f) 配列番号284、285および286のCDR配列ならびに配列番号296、297および298のCDR配列、
g) 配列番号116、237および238のCDR配列ならびに配列番号266、267および268のCDR配列、または
h) 配列番号242、243および244のCDR配列ならびに配列番号272、273および274のCDR配列
を含む抗スクレロスチン抗体を交差妨害するかまたはそれにより交差妨害されるものであり、
ここで前記組成物中の前記抗スクレロスチン抗体が、配列番号２（DVSEYSCRELHFTR；配列番号１のアミノ酸51〜64に対応する）、配列番号３（SAKPVTELVCSGQCGPAR；配列番号１のアミノ酸73〜90に対応する）、配列番号４（WWRPSGPDFRCIPDRYR；配列番号１のアミノ酸101〜117に対応する）、および配列番号５（LVASCKCKRLTR；配列番号１のアミノ酸138〜149に対応する）を含む配列番号１の一部領域に結合する、組成物。
【請求項２】
前記抗スクレロスチン抗体を約１２０から２７０ｍｇまでの量で投与するための、請求項１に記載の組成物。
【請求項３】
週に２回投与するための、請求項１に記載の組成物。
【請求項４】
前記対象の病変歯肉部または病変歯周ポケットへ局所的に投与するための、請求項１に記載の組成物。
【請求項５】
前記抗スクレロスチン抗体の投与前にペリオスタット（Periostat）（登録商標）または化学修飾テトラサイクリン‐３（ＣＭＴ‐３）からなる群より選択される標準ケア治療薬を投与することを含む治療方法において用いるための、請求項１〜４のいずれか一項に記載の組成物。
【請求項６】
副甲状腺ホルモン、テリパラチド、ビスホスホネート、ＲＡＮＫＬ抗体およびＤＫＫ‐１抗体からなる群より選択される第２骨強化治療薬を投与することを含む治療方法において用いるための、請求項１〜５のいずれか一項に記載の組成物。
【請求項７】
前記治療方法において、前記抗スクレロスチン抗体を用いる治療期間が終了した後に前記第２骨強化治療薬が投与される、請求項６に記載の組成物。
【請求項８】
前記抗スクレロスチン抗体を投与することに加えて、歯槽骨の維持のために少なくとも１２週間の維持期間にわたって前記抗スクレロスチン抗体を投与することを含む治療方法において用いるための、請求項７に記載の組成物。
【請求項９】
前記抗スクレロスチン抗体が重鎖と軽鎖を含む免疫グロブリンである、請求項１または４に記載の組成物。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
モノメチルアウリスタチンE（MMAE）に結合された抗191P4D12抗体またはその抗原結合フラグメントを含む、抗体薬物結合体であって、該抗体または抗原結合フラグメントが、SEQ ID NO:7に示された重鎖可変領域配列中の相補性決定領域(CDR)のアミノ酸配列からなるCDRを含む重鎖可変領域と、SEQ ID NO:8に示された軽鎖可変領域配列中のCDRのアミノ酸配列からなるCDRを含む軽鎖可変領域とを含む、抗体薬物結合体。
【請求項２】
抗体または抗原結合フラグメントが、SEQ ID NO:7の45〜52の範囲のアミノ酸配列からなるCDRH1、SEQ ID NO:7の70〜77の範囲のアミノ酸配列からなるCDRH2、SEQ ID NO:7の116〜125の範囲のアミノ酸配列からなるCDRH3、SEQ ID NO:8の49〜54の範囲のアミノ酸配列からなるCDRL1、SEQ ID NO:8の72〜74の範囲のアミノ酸配列からなるCDRL2、およびSEQ ID NO:8の111〜119の範囲のアミノ酸配列からなるCDRL3を含む、請求項1記載の抗体薬物結合体。
【請求項３】
モノメチルアウリスタチンE（MMAE）に結合された抗191P4D12抗体またはその抗原結合フラグメントを含む、抗体薬物結合体であって、該抗体または抗原結合フラグメントが、SEQ ID NO:7に示された重鎖可変領域アミノ酸配列と少なくとも80％相同のアミノ酸配列を含む重鎖可変領域と、SEQ ID NO:8に示された軽鎖可変領域アミノ酸配列と少なくとも80％相同のアミノ酸配列を含む軽鎖可変領域とを含む、抗体薬物結合体。
【請求項４】
抗体または抗原結合フラグメントが、SEQ ID NO:7に示された重鎖可変領域アミノ酸配列と少なくとも85％、86％、87％、88％、89％、90％、91％、92％、93％、94％、95％、96％、97％、98％または99％相同のアミノ酸配列と、SEQ ID NO:8に示された軽鎖可変領域アミノ酸配列と少なくとも85％、86％、87％、88％、89％、90％、91％、92％、93％、94％、95％、96％、97％、98％または99％相同のアミノ酸配列を含む軽鎖可変領域とを含む、請求項3に記載の抗体薬物結合体。
【請求項５】
抗原結合フラグメントが、Fab、F(ab')2、Fv、またはscFvフラグメントである、請求項1〜4のいずれか一項記載の抗体薬物結合体。
【請求項６】
抗体がヒト化抗体である、請求項1〜5のいずれか一項記載の抗体薬物結合体。
【請求項７】
抗体または抗原結合フラグメントが、組換えにより産生された、請求項1〜6のいずれか一項記載の抗体薬物結合体。
【請求項８】
抗体またはその抗原結合フラグメントが、リンカーを介してMMAEに結合された、請求項1〜7のいずれか一項記載の抗体薬物結合体。
【請求項９】
リンカーがバリン-シトルリンを含む、請求項8記載の抗体薬物結合体。
【請求項１０】
リンカーが、酵素切断可能リンカーであり、該リンカーが、該抗体またはその抗原結合フラグメントの硫黄原子との結合を形成する、請求項8記載の抗体薬物結合体。
【請求項１１】
リンカーが、式-Aa-Ww-Yy-を有し；
-A-がストレッチャーユニットであり、aが0または1であり；-W-がアミノ酸ユニットであり、wが0〜12の範囲の整数であり；且つ-Y-がスペーサーユニットであり、yが0、1、または2であり；
該ストレッチャーユニットが、以下の式（1）の構造：
2019031565.tif 000001
を有し；該アミノ酸ユニットが、バリン シトルリンであり；且つ該スペーサーユニットが、以下の式（2）の構造：
2019031565.tif 000002
を有するPAB基であり；
該ストレッチャーユニットが、抗体またはその抗原結合フラグメントの硫黄原子との結合を形成し；且つ
該スペーサーユニットが、カルバメート基を介してMMAEに結合された、
請求項8記載の抗体薬物結合体。
【請求項１２】
抗体またはその抗原結合フラグメント当たり1ユニット〜10ユニットのMMAEを含む、請求項1〜4のいずれか一項記載の抗体薬物結合体。
【請求項１３】
抗体またはその抗原結合フラグメント当たり2ユニット〜5ユニットのMMAEを含む、請求項1〜4のいずれか一項記載の抗体薬物結合体。
【請求項１４】
以下の構造：
2019031565.tif 000003
を有し、
式中、L-が抗191P4D12抗体または抗原結合フラグメントを示し、pが1〜10の範囲である、請求項1〜4のいずれか一項記載の抗体薬物結合体。
【請求項１５】
pが2〜5の範囲である、請求項14記載の抗体薬物結合体。
【請求項１６】
ヒト用単位剤形で、治療的有効量の請求項1〜15のいずれか一項記載の抗体薬物結合体および薬学的に許容される賦形剤を含む、薬学的組成物。
【請求項１７】
対象の癌を予防または治療するための、請求項16記載の薬学的組成物。
【請求項１８】
対象がヒト対象である、請求項17記載の薬学的組成物。
【請求項１９】
癌が、膵臓癌、肺癌、膀胱癌、または乳癌である、請求項18記載の薬学的組成物。
【請求項２０】
癌が膵臓癌である、請求項19記載の薬学的組成物。
【請求項２１】
癌が肺癌である、請求項19記載の薬学的組成物。
【請求項２２】
癌が膀胱癌である、請求項19記載の薬学的組成物。
【請求項２３】
癌が乳癌である、請求項19記載の薬学的組成物。
【請求項２４】
放射線または化学療法剤と組み合わせて投与される、請求項19記載の薬学的組成物。